(57)【要約】【課題】ワイヤー錠の鍵本体に他の部品を取り付け可能で、鍵本体そのものが自転車から取り外されも自転車が持ち去られることを防止する自転車用ワイヤー錠を提供する。【解決手段】円柱形状の鍵本体１の片方端ワイヤー端子差込部９が形成され、他の片方端にはワイヤ貫通穴部材８が設けられている。ワイヤー２の一端にはワイヤー端子４が、他端には穴あき部材５０が設けられている。この鍵本体１を装着部材１０で自転車のハンドル１３にネジ等で固着する。駐輪場の柱に取り付ける場合、ワイヤー錠のワイヤー２を柱などの構造物７に巻き付け、前記穴あき部材５０を通したのち、円柱形状の鍵本体１のワイヤ貫通穴部材８の穴を介して自転車のハンドルステム１３′及びフレーム１２の一部を巻いて前記鍵本体１のワイヤー端子差込部９にワイヤー端子４を差込み装着して鎖錠する。【選択図】      図９
2011056970.tif 000002
【特許請求の範囲】
【請求項１】
自転車用のワイヤー錠において、鍵本体とワイヤ−が鍵の操作により分離する構造であって、ワイヤーの一端にはワイヤー端子が、他端にはリング状または穴あき部材が設けられてなり、鍵本体は柱形状体であり、この柱形状体の鍵本体の片方端または途中にワイヤー端子差込部が形成され、前記鍵本体の他の片方端にはワイヤ貫通穴が設けられており、前記鍵本体をハンドル、フォーク、サドル支柱等の自転車の一部に取り付けるための装着部材が設けられ、前記装着部材はこれら自転車の一部にネジ等で固着される構成であり、前記ワイヤーは、柱などの構造物に巻き付けられ、前記リング状または穴あき部材を通したのち、前記鍵本体の前記ワイヤ貫通穴を介して自転車の一部を巻いて前記鍵本体のワイヤー端子差込部にワイヤー端子を差込み装着して鎖錠することを特徴とする自転車用ワイヤー錠。
【請求項２】
リフレクター、照明装置等の取付部品の取り付け部分は筒状に形成され、取付部品側に向かって切り欠き部が設けられており、前記取付部品を前記柱形状の鍵本体の端面側から挿入して、ボルトとナット等により前記切り欠き部を締め付けて、前記鍵本体に固着可能にしたことを特徴とする請求項１記載の自転車用ワイヤー錠。
【請求項３】
前記装着部材を自転車の一部に取り付けるネジをワイヤ端子差込部のワイヤ端子挿入横部分に配置し、ワイヤー端子をワイヤ端子差込部に差込み時（ロック時）にワイヤー端子で前記ネジを隠すように構成したことを特徴とする請求項１または請求項２記載の自転車用ワイヤー錠。
【発明の詳細な説明】
【技術分野】
【０００１】
本発明は自転車および取り付け部品の盗難防止のための自転車用ワイヤー錠に関する。
【背景技術】
【０００２】
自転車の駐輪中における自転車および取り付け部品の盗難防止のために、自転車とタイヤをロックさせて盗難防止を図る方法が一般的であるが、盗難防止強化のため自転車を駐輪場の柱等にワイヤー錠でロックさせる方法を用いる人が多い。そのために自転車用ワイヤー錠は種々提案されている。その一例としては、鍵本体とワイヤーが一体であり、自転車の車輪と固定物との間を１個のリング状に結びロック機構を形成するものが一般的である（（例えば、特許文献１参照）。
【０００３】
また自転車用のワイヤー錠において、鍵本体とワイヤ−が分離する構造となっており、ワイヤーの片端  に鍵本体に差し込むとロックできる端子（Ａ）を有し、もう片端には端子（Ａ）を通すことができるリング状（または丸穴形状）で、また、鍵本体は自転車（ハンドル、ステイ等）に固定できる固定機構を有する自転車ワイヤー錠のものも公知である（例えば、特許文献２参照）。
【０００４】
具体的に図１０、図１１により説明する。図１０は自転車に従来の鍵本体１とワイヤ錠を取り付けた状態で、車体に取り付けられる鍵本体１に取り付けられるワイヤー２とからなる。鍵本体１により後輪６が拘束され、ワイヤー２により車体が手すり等の構造物７に拘束される。前記ワイヤー２は、図１１に示すように、多数本の金属素線を撚って形成されるワイヤー本体の外周面を合成樹脂製の透明チューブで被覆した構造のものである。このワイヤー２は、一端部を折り返して止め金５で止着することによりリング部分３が形成してある。このリング部分３にワイヤー２の他端部を挿入することにより、手すり等の構造物７に取り付けるためのループを形成することができる。ワイヤー２の他端には、金属製の端子４が取り付けてある。この端子４は鍵本体１の挿入口に係合してワイヤー２の端部が抜止め状態に保持されている。
【先行技術文献】
【特許文献】
【０００５】
【特許文献１】特開２００６−３７４３１号公報
【０００６】
【特許文献２】特開平２００１−１９６７号公報
【発明の概要】
【発明が解決しようとする課題】
【０００７】
このように、従来の鍵本体とワイヤーが一体の特許文献１の１個のリング状を作る方式では、自転車と駐論場の柱等をロックする場合、自転車と柱の距離はワイヤ−長さの半分以下に設置する必要があり、駐車場所が制約され、またワイヤーの持ち運びも不便でであった。また、鍵本体とワイヤーが分離できる特許文献２の方式では、ワイヤ−の長さに対し自転車と柱の距離の自由度が増し、ワイヤーの持ち運びに便利であるが、鍵本体そのものを自転車から取り外されると、自転車が持ち去られて盗まれる恐れがあった。
【０００８】
そこで本発明は１個のループタイプのリング状構造のワイヤ−錠に比べ、最大距離が長くでき、自転車を駐輪する場所の自由度が増し、ワイヤーのみ持ち運ぶことができ、さらにワイヤー錠の鍵本体に照明装置などの他の部品の取り付けができ、鍵本体にワイヤー端子を差込みロックすると、自転車のロックと共に、鍵本体そのもの自転車から取り外されても自転車が持ち去られることを防止し、照明装置などの取り付け部品は取り付け部分を切断しない限りは取り外しできない自転車用ワイヤー錠を提供することを目的とする。
【課題を解決するための手段】
【０００９】
上記課題を解決するために、本発明の請求項１に係る自転車用ワイヤー錠は、自転車用のワイヤー錠において、鍵本体とワイヤ−が鍵の操作により分離する構造であって、ワイヤーの一端にはワイヤー端子が、他端にはリング状または穴あき部材が設けられてなり、鍵本体は柱形状体であり、この柱形状体の鍵本体の片方端または途中にワイヤー端子差込部が形成され、前記鍵本体の他の片方端にはワイヤ貫通穴が設けられており、前記鍵本体をハンドル、フォーク、サドル支柱等の自転車の一部に取り付けるための装着部材が設けられ、前記装着部材はこれら自転車の一部にネジ等で固着される構成であり、前記ワイヤーは、柱などの構造物に巻き付けられ、前記リング状または穴あき部材を通したのち、前記鍵本体の前記ワイヤー貫通穴を介して自転車の一部を巻いて前記鍵本体のワイヤー端子差込部にワイヤー端子を差込み装着して鎖錠する構成とした。
【００１０】
こうして、本発明の自転車用ワイヤー錠は、ワイヤ−の最大距離が長くできて駐輪する場所の自由度が増し、ワイヤーのみを持ち運ぶことができ、持ち運び物の軽量化、コンパクト化が可能となった。また、鍵本体にワイヤー端子を差込みロックすると、自転車のロックと共に、鍵本体そのものを工具等で自転車から取り外しても、ワイヤーが依然として柱などの構造物と自転車の一部にループを形成して繋がっているので、自転車が持ち去られることを防止することができる。
【００１１】
本発明の請求項２に係る自転車用ワイヤー錠は、自転車用のワイヤー錠において、鍵本体とワイヤ−が鍵の操作により分離する構造であって、ワイヤーの一端にはワイヤー端子が、他端にはリング状または穴あき部材が設けられてなり、鍵本体は柱形状体であり、この柱形状体の鍵本体の片方端または途中にワイヤー端子差込部が形成され、前記鍵本体の他の片方端にはワイヤ貫通穴が設けられており、前記鍵本体をハンドル、フォーク、サドル支柱等の自転車の一部に取り付けるための装着部材が設けられ、前記装着部材はこれら自転車の一部にネジ等で固着される構成であり、リフレクター、照明装置等の取付部品の取り付け部分は筒状に形成され、取付部品側に向かって切り欠き部が設けられており、前記取付部品を前記柱形状の鍵本体の端面側から挿入して、ボルトとナット等により前記切り欠き部を締め付けて、前記鍵本体に固着可能にし、前記ワイヤーは、柱などの構造物に巻き付けられ、前記リング状または穴あき部材を通したのち、前記鍵本体の前記ワイヤー貫通穴を介して自転車の一部を巻いて前記鍵本体のワイヤー端子差込部にワイヤー端子を差込み装着して鎖錠する構成とした。
【００１２】
こうして、本発明の自転車用ワイヤー錠は、ワイヤ−の最大距離が長くできて自由度が増し、ワイヤーのみを持ち運ぶことができ、持ち運び物の軽量化、コンパクト化が可能となった。また、鍵本体にリフレクター、照明装置等の他の部品を取り付けることができ、鍵本体にワイヤー端子を差込みロックすると、自転車のロックと共に、鍵本体そのものを工具等で自転車から取り外しても、ワイヤーが依然として柱などの構造物と自転車の一部にループを形成して繋がっているので、自転車が持ち去られることを防止し、かつ、照明装置等の取付部品はナットを緩めて鍵本体から取り外しても、取り付け部分を切断しない限りは取り外しできなくなった。
【００１３】
本発明の請求項３に係る自転車用ワイヤー錠は、請求項１または請求項２記載の自転車用ワイヤー錠において、前記装着部材と自転車の一部に取り付けるネジをワイヤ端子差込部のワイヤ端子挿入横部分に配置し、ワイヤー端子をワイヤ端子差込部に差込み時（ロック時）にワイヤー端子で前記ネジを隠すように構成した。
【００１４】
こうして、ワイヤー端子をワイヤ端子差込部に差込み時（ロック時）に、自転車への装着部材の取付部分を表面から隠して見ることができないので、取り外しの被害に遭うことを軽減できる。
【発明の効果】
【００１５】
以上のように本発明の自転車用ワイヤー錠は、１個のリング状構造のワイヤ−錠に比べ、最大距離が長くできて自由度が増し、ワイヤー長さから駐輪場の柱の円周分を差し引いた長さが、駐輪場と自転車との間の最大距離になる。また、ワイヤーのみを持ち運ぶことができ、持ち運び物の軽量化、コンパクト化が可能となる。
【００１６】
また、鍵本体にリフレクター、照明装置等の他の部品を取り付けることができ、鍵本体にワイヤー端子を差込みロックすると、自転車のロックと共に、鍵本体そのものを工具等で自転車から取り外されても、ワイヤーが依然として柱などの構造物と自転車の一部にループを形成して繋がっているので、自転車が持ち去られることを防止し、かつ、照明装置等の取付部品は取り付け部分を切断しない限りは取り外しできない。
【図面の簡単な説明】
【００１７】
【図１】本発明のワイヤー錠で自転車を柱等に繋ぐ状態図。
【図２】ワイヤーの端部の構成図。
【図３】円柱形状の鍵本体にリフレクターを取付けた図。
【図４】円柱形状の鍵本体に照明装置を取付けた図。
【図５】鍵本体をハンドルに取付ける説明図。
【図６】ワイヤー端子を端子差込部に差込み時の拡大図。
【図７】従来タイプの自転車用ワイヤー錠に照明装置を装荷した実施形態図。
【図８】本発明の自転車用ワイヤー錠に照明装置を装荷した実施形態図。
【図９】本発明の自転車用ワイヤー錠に照明装置を装荷した実施形態の斜視図。
【図１０】自転車に従来の鍵本体１を取り付けた状態図。
【図１１】従来の１ループタイプの自転車用ワイヤー図。
【発明を実施するための形態】
【００１８】
本発明の自転車用ワイヤー錠を図１〜図９により説明する。図１はワイヤー錠で自転車を柱等に繋ぐ状態図、図２はワイヤーの端部の構成を示し、図３は円柱形状の鍵本体にリフレクターを取り付ける例、図４は円柱形状の鍵本体に照明装置を取り付ける例、図５は鍵本体をハンドルに取り付ける説明図、図６はワイヤー端子を端子差込部に差込み時の拡大図、図７は１ループタイプの自転車用ワイヤー錠に照明装置を装荷した実施形態、図８は本発明の自転車用ワイヤー錠に照明装置を装荷した実施形態、図９は本発明の自転車用ワイヤー錠に照明装置を装荷した実施形態の斜視図である。
【００１９】
図１は本発明の自転車用ワイヤー錠の代表的な実施形態である。ワイヤー錠で自転車を柱等に繋ぐ状態において図１（Ａ）は上面図、図１（Ｂ）は側面図、図１（Ｃ）はハンドル側から見た側面図である。図において、鍵本体１は柱形、実施例では円柱形状であり、この円柱形状の鍵本体１の片方端または途中にワイヤー端子差込部９が形成されている。この例では、ワイヤー端子差込部９は鍵本体１の片方の途中に形成されている。前記鍵本体１の他の片方端にはワイヤ貫通穴部材８が設けられている。
【００２０】
ワイヤー２の一端にはワイヤー端子４が、他端には穴あき部材５０が設けられている。また、前記円柱形状の鍵本体１をハンドル、ハンドルステム、フォーク、サドル支柱等１３で示す自転車の一部に取り付けるための装着部材１０が設けられ、前記装着部材１０はこれら自転車の一部にネジ等で固着される。
【００２１】
自転車用ワイヤー錠を用いて自転車を駐輪場の柱に取り付ける場合、ワイヤー錠のワイヤー２を柱などの構造物７に巻き付け、前記穴あき部材５０を通したのち、円柱形状の鍵本体１のワイヤ貫通穴８を介して自転車のハンドル１３等の自転車の一部を巻いて前記鍵本体１のワイヤー端子差込部９にワイヤー端子４を差込み装着して鎖錠する。鎖錠を解除する時はキー１１を用いて簡単にできる。
【００２２】
これにより、本発明の自転車用ワイヤー錠は、１個のリング状構造のワイヤ−錠に比べて、最大距離が長くできて駐輪する場所の自由度が増し、ワイヤー２の長さから駐輪場の柱７の円周分を差し引いた長さが、駐輪場と自転車との間の最大距離にすることができ、持ち運び物の軽量化、コンパクト化が可能となる。ワイヤー端子差込部９の形状を共通化することで、長さの違うワイヤ−等へのワイヤーの交換も可能となる。
【００２３】
また、鍵本体そのものが工具等でハンドル１３等から取り外されても、ワイヤー２が柱などの構造物７に巻き付けられ、前記穴あき部材５０を通したのち、円柱形状の鍵本体１のワイヤ貫通穴８を介して自転車のハンドル１３等自転車の一部を巻いているので、例え、鍵本体と一緒に自転車を持ち去ろうとしても、ワイヤ２が依然として自転車の一部と柱などの構造物７に巻き付けられているので、自転車の盗難を防止することができる。
【００２４】
図２にはワイヤー２の端部の構成を示し、図２（Ａ）は図１の穴あき部材５０を示しているが、これに替えて図２（Ｂ）のように、このワイヤー２は、一端部を折り返して止め金５で止着することによりリング部分３が形成してある。このリング部分３にワイヤー２の他端部を挿入することにより、柱等の構造物７に取り付けるためのループを形成する。
【００２５】
図３及び図４は、円柱形状の鍵本体１にリフレクター、照明装置等の取付部品の取り付ける様子を示している。図３はリフレクターを取り付ける例であり、鍵本体１の円柱形状体にリフレクター１４を固定し、この鍵本体１を装着部材１０でハンドル、ハンドルステム、フォーク、サドル支柱等１３で示す自転車の一部に取り付ける。
【００２６】
ここで、フロントリフレクター（白色）付きの鍵本体１の円柱形状体はハンドル、ハンドルステムまたはフオークに取り付け、リヤーリフレクター（赤色）付きのワイヤー鍵本体１はサドル支柱に取り付けると良い。
【００２７】
図４は取付部品としての照明装置を取り付ける例であり、円柱形状の鍵本体１に照明装置１５を固定し、この鍵本体１を装着部材１０で自転車のハンドル１３に取り付ける。
このように、円柱形状の鍵本体１をハンドルに取り付け、鍵本体１には照明装置などの自転車部品が取り付けることができ、ハンドルのみで自転車部品の取り付け箇所が確保できる。
【００２８】
これら照明装置１５の取付部品の取り付け部分は筒状に形成され、取付部品側に向かって切り欠き部が設けられており、前記取付部品を前記円柱形状の鍵本体１の端面側から挿入して、ボルトとナット等により前記切り欠き部を締め付けて鍵本体１に固着するように構成されている。この円柱形状の鍵本体へのリフレクター、照明装置等の他の部品の取り付け方法は、図１に示すタイプの自転車用ワイヤー錠に適用できる。
【００２９】
このように、鍵本体１にリフレクター１４、照明装置１５等の他の部品を取り付けることができ、鍵本体１にワイヤー端子４をワイヤ端子差込部９に差込みロックすると、自転車のロックと共に、鍵本体そのものが工具等でハンドル１３等から取り外されても自転車が持ち去られることを防止し、かつ後述する図８のような場合、照明装置等の取付部品は取り付け部分を切断しない限りは取り外しできない。
【００３０】
次に、図５、図６で円柱形状の鍵本体１を装着部材１０でハンドル１３等に取り付ける手段に付いて説明する。図５は従来の１ループタイプの自転車用ワイヤー錠を取り付ける例を示し、図５（Ａ）は上面図であり、図５（Ｂ）はハンドル等側から見た側面図である。
【００３１】
鍵本体１をハンドル１３等の自転車の一部に取り付ける装着部材１０をハンドル１３に取り付けるネジ１７をワイヤ端子差込部９のワイヤ端子挿入横部分に配置し、ワイヤー端子４をワイヤ端子差込部９に差込みロックする時にワイヤー端子４で前記ネジ１７を隠すように構成している。図６はワイヤー端子４をワイヤ端子差込部９に差込み時のワイヤー端子４で前記ネジ１７との関係を示した拡大図である。
【００３２】
この円柱形状の鍵本体１を装着部材１０を介してハンドル１３等に取り付ける方法は、従来の１ループタイプの自転車用ワイヤー錠の取り付けだけではなく、図１に示すタイプの本発明の自転車用ワイヤー錠に適用できることは勿論である。これにより、鍵本体１のハンドル１３等への取付部分を表面から見ることができず、取り外しの被害に遭うことを軽減できる。
【００３３】
図７は、図１０、図１１に示す従来の１ループタイプの自転車用ワイヤー錠の円柱形状の鍵本体１に照明装置を装荷して自転車のハンドルに取り付けた実施形態を示している。図１、図４と同一物には同じ符号を付している。ワイヤー錠で自転車を柱等に繋ぐ状態において図７（Ａ）は上面図、図７（Ｂ）は照明装置の取付状態の側面図である。
【００３４】
図において、鍵本体１は円柱形状であり、この円柱形状の鍵本体１の片方端または途中にワイヤー端子差込部９が形成されている。この例では、ワイヤー端子差込部９は鍵本体１の片方端に形成されている。前記円柱形状の鍵本体１をハンドル１３に取り付けるための装着部材１０が設けられ、前記装着部材１０はハンドル１３にネジ等で固着される。また、ワイヤー２の一端にはワイヤー端子４が、他端には穴あき部材５０が設けられている。
【００３５】
図７（Ｂ）に示すように、照明装置１５の取付部品の取り付け部分は筒状１６に形成され、照明装置１５側に向かって切り欠き部２０が設けられており、照明装置１５を前記円柱形状の鍵本体１の端面側から挿入して、ボルト１８とナット１９等により前記切り欠き部２０を締め付けて鍵本体１に固着するように構成されている。こうして円柱形状の鍵本体１に照明装置１５を固定し、この鍵本体１を装着部材１０で自転車のハンドル１３に取り付ける。
【００３６】
自転車用ワイヤー錠を用いて自転車を駐輪場の柱に取り付ける場合、ワイヤー錠のワイヤー２を柱などの構造物７に巻き付け、前記穴あき部材５０を通したのち、前記鍵本体１のワイヤー端子差込部９にワイヤー端子４を差込み装着して鎖錠する。鎖錠を解除する時はキー１１を用いて簡単にできる。
【００３７】
このように、鍵本体１に照明装置１５を取り付けることができ、鍵本体１にワイヤー端子４をワイヤ端子差込部９に差込みロックすると、自転車のロックと共に、照明装置の取付部品はナット１９を緩めてボルト１８から外しても取り付け部分を切断しない限りは取り外しできない。
【００３８】
図８は、図１に示す本発明の自転車用ワイヤー錠の円柱形状の鍵本体１に照明装置１５を装荷して自転車のハンドル１３に取り付けた実施形態を示している。図１、図４と同一物には同じ符号を付している。ワイヤー錠で自転車を柱等に繋ぐ状態において図８（Ａ）は上面図、図８（Ｂ）は照明装置の取付状態の側面図である。
【００３９】
図において、鍵本体１は円柱形状であり、この円柱形状の鍵本体１の片方端または途中にワイヤー端子差込部９が形成されている。この例では、ワイヤー端子差込部９は鍵本体１の片方端に形成されている。前記鍵本体１の他の片方端にはワイヤ貫通穴部材８が設けられている。
【００４０】
ワイヤー２の一端にはワイヤー端子４が、他端には穴あき部材５０が設けられている。また、前記円柱形状の鍵本体１をハンドル１３に取り付けるための装着部材１０が設けられ、前記装着部材１０はハンドル１３にネジ等で固着される。
【００４１】
図８（Ｂ）に示すように、照明装置１５の取付部品の取り付け部分は筒状１６に形成され、照明装置１５側に向かって切り欠き部２０が設けられており、照明装置１５を前記円柱形状の鍵本体１の端面側から挿入して、ボルト１８とナット１９等により前記切り欠き部２０を締め付けて鍵本体１に固着するように構成されている。こうして円柱形状の鍵本体１に照明装置１５を固定し、この鍵本体１を装着部材１０で自転車のハンドル１３に取り付ける。
【００４２】
自転車用ワイヤー錠を用いて自転車を駐輪場の柱に取り付ける場合、ワイヤー錠のワイヤー２を柱などの構造物７に巻き付け、前記穴あき部材５０を通したのち、円柱形状の鍵本体１のワイヤ貫通穴部材８の穴を介して自転車のハンドル１３の一部を巻いて前記鍵本体１のワイヤー端子差込部９にワイヤー端子４を差込み装着して鎖錠する。鎖錠を解除する時はキー１１を用いて簡単にできる。
【００４３】
このように、鍵本体１に照明装置１５を取り付けることができ、鍵本体１にワイヤー端子４をワイヤ端子差込部９に差込みロックすると、自転車のロックと共に、鍵本体そのものが工具等でハンドル１３から取り外されても自転車が持ち去られることを防止し、かつ、照明装置の取付部品はナット１９を緩めてボルト１８から外しても取り付け部分を切断しない限りは取り外しできない。
【００４４】
図９には図８の本発明の自転車用ワイヤー錠の円柱形状の鍵本体１に照明装置１５を装荷して自転車のハンドル１３に取り付けた実施形態の斜視図である。図８と同一物には同じ符号を付している。
【００４５】
図において、鍵本体１は円柱形状であり、この円柱形状の鍵本体１の片方端ワイヤー端子差込部９が形成されている。また、前記鍵本体１の他の片方端にはワイヤ貫通穴部材８が設けられている。ワイヤー２の一端にはワイヤー端子４が、他端には穴あき部材５０が設けられている。
【００４６】
照明装置１５を前記円柱形状の鍵本体１の端面側から挿入して鍵本体１に固着する。こうして円柱形状の鍵本体１に照明装置１５を固定し、この鍵本体１を装着部材１０で自転車のハンドル１３にネジ等で固着する。
【００４７】
本発明の自転車用ワイヤー錠を用いて自転車を駐輪場の柱に取り付ける場合、ワイヤー錠のワイヤー２を柱などの構造物７に巻き付け、前記穴あき部材５０を通したのち、円柱形状の鍵本体１のワイヤ貫通穴部材８の穴を介して自転車のハンドルステム１３′またはフレーム１２の一部を巻いて前記鍵本体１のワイヤー端子差込部９にワイヤー端子４を差込み装着して鎖錠する。鎖錠を解除する時はキー１１を用いて簡単にできる。
【００４８】
このように、鍵本体１に照明装置１５を取り付けることができ、鍵本体１のにワイヤー端子４をワイヤ端子差込部９に差込みロックすると、自転車のロックと共に、鍵本体そのものが工具等でハンドルから外されても、ワイヤーが依然として柱７と自転車のハンドルステム１３′にループを形成して繋がっているので、自転車が持ち去られることを防止し、かつ、照明装置の取付部品は取り付け部分を切断しない限りは取り外しできない。
【符号の説明】
【００４９】
１            鍵本体
２            ワイヤー
３            リング部分
４            金属製のワイヤー端子
５            止め金
６            自転車の前輪
７            手すり等の構造物
８            ワイヤ貫通穴部材
９            ワイヤ端子差込部
１０          装着部材
１１          キー
１２          自転車のフレーム
１３          ハンドル
１３′        ハンドルステム
１４          リフレクター
１５          照明装置
１６          筒状体
１７          ネジ
１８          ボルト
１９          ナット
２０          切り欠き部
５０          穴あき部材
【図１】
2011056970.tif 000003
【図２】
2011056970.tif 000004
【図３】
2011056970.tif 000005
【図４】
2011056970.tif 000006
【図５】
2011056970.tif 000007
【図６】
2011056970.tif 000008
【図７】
2011056970.tif 000009
【図８】
2011056970.tif 000010
【図９】
2011056970.tif 000011
【図１０】
2011056970.tif 000012
【図１１】
2011056970.tif 000013